(57)【要約】【課題】リフター機構によりシートクッションの高さを変更してもバネの張設状態を変化させないようにして座り心地を変化させず、軽量、且つ、必要な剛性を確保できる車両用シートとする。【解決手段】車両用シート１は、リフター機構Ｌｆを有している。リフター機構Ｌｆの一部を構成するアッパーフレーム５の後方には後側シャフト８ｂが回転可能に取り付けられている。後側シャフト８ｂは、リフター機構Ｌｆの動作によりアッパーフレーム５に対して回転する。後側シャフト８ｂは、回転軸部８１と同じ断面積の形状で、中心軸ａ２がシャフト回転軸心Ｓｐから径方向外側に偏心したクランク部８２を有している。そして、クランク部８２には、バネ部材６の一端をシャフト回転軸心Ｓｐと一致させるように取り付けられる後側バネ取付部８３が設けられている。【選択図】図５
2011063142.tif 000002
【特許請求の範囲】
【請求項１】
乗員が着座するシートクッションと、該シートクッションの骨格となるアッパーフレームと、上記シートクッションを裏側から弾性支持するバネ部材と、上記アッパーフレームの下方に対応するように床面に設けられたロアフレームと、上記アッパーフレームをロアフレームに対して上下動させるリフター機構とを備え、
上記リフター機構は、上記アッパーフレームの前後において幅方向に延びる前側シャフト及び後側シャフトと、上記アッパーフレーム及びロアフレームの前後に配置され、一端が上記ロアフレームに回動可能に取り付けられるとともに他端が上記アッパーフレームに回動可能に取り付けられ、且つ、上記前側シャフト及び後側シャフトに回転一体に取り付けられた左右一対の前側リンク及び後側リンクとを有し、該前側リンク及び後側リンクの回動動作に伴って上記前側シャフト及び後側シャフトが回転するように構成された車両用シートであって、
上記前側シャフト及び後側シャフトの少なくとも一方は、長手方向両端部分に位置し、中心軸がシャフト回転軸心と一致して上記アッパーフレームに回転可能に取り付けられた回転軸部と、これら回転軸部間に位置しシャフト断面積の形状が該回転軸部と同じで且つ中心軸がシャフト回転軸心から径方向外側に偏心したクランク部とからなり、
上記クランク部には、上記バネ部材の一端をシャフト回転軸心と一致させるように取り付けられるバネ取付部が設けられていることを特徴とする車両用シート。
【請求項２】
請求項１に記載の車両用シートであって、
上記前側シャフト及び後側シャフトの少なくとも一方は、パイプ形状をなしていることを特徴とする車両用シート。
【発明の詳細な説明】
【技術分野】
【０００１】
本発明は、乗員が着座するシートクッションを上下動させることができるリフター機構付き車両用シートに関する。
【背景技術】
【０００２】
従来より、車両用シートには、乗員が着座するシートクッションを上下動させるリフター機構を備えたものが知られている。例えば、特許文献１の車両用シートでは、車体のフロアに対して所定の高さに位置するロアフレームと、該ロアフレームの上方において、シートクッションが取り付けられたアッパーフレームとを有している。該アッパーフレームの前後には、幅方向に延びるとともに上記アッパーフレームに回転可能に取り付けられた前側シャフト及び後側シャフトが設けられている。また、上記ロアフレーム及びアッパーフレームの前後には、前側リンク及び後側リンクが左右一対ずつ形成され、各々の一端がロアフレームに回動可能に取り付けられるとともに他端が前側シャフト及び後側シャフトに回転一体化されて、これによりリフター機構が構成されている。そして、ロアフレームに対して前側リンク及び後側リンクが回動動作を行い、これに伴って前側シャフト及び後側シャフトがアッパーフレームに対して回転し、上記アッパーフレームがロアフレームに対し円弧軌跡に沿って移動することにより、シートクッションが上下動するようになっている。
【０００３】
上記アッパーフレームには、シートクッションを弾性支持する複数のバネ部材が張設されている。上記バネ部材の一端は、後側シャフトにリテーナを介して取り付けられ、上記バネ部材の他端は、アッパーフレームの前方に設けられた幅方向に延びる略板状の架設部材に取り付けられている。上記リテーナは、シャフトの外周に回転可能に取り付けられて、シートクッションを上下動させるときに、シャフトが後側リンクと同期して回転すると、シャフトに対して回転するようになっており、これにより、バネ部材自体の張設状態は変化せず、リフター機構によって乗員の座り心地が変化しないようになっている。
【先行技術文献】
【特許文献】
【０００４】
【特許文献１】特開２００２−１４２９０８号公報（段落００２９欄、図３）
【発明の概要】
【発明が解決しようとする課題】
【０００５】
ところで、近年の自動車業界では、車体の衝突安全性の向上と車体の軽量化による燃費向上とを両立させる車体構造が求められている。したがって、車両用シートには、乗員の座り心地を満足させるだけでなく、軽量、且つ、必要な剛性を確保できるフレーム構造が要求される。これに対し、特許文献１では、バネ部材の張設状態を変化させないようにするためにシャフトの外周を取り囲む比較的大きなリテーナを設けているので、リフター機構の動作によって乗員の座り心地に変化が生じないようにできるものの、車両用シートの重量を増加してしまう。
【０００６】
本発明は斯かる点に鑑みてなされたものであり、その目的とするところは、リフター機構によりシートクッションの高さを変更してもバネの張設状態を変化させないようにして座り心地を変化させないようにするとともに、軽量、且つ、必要な剛性を確保できる車両用シートとすることにある。
【課題を解決するための手段】
【０００７】
上記の目的を達成するために、本発明は車両用シートのシートクッションを弾性支持するバネ部材の一端の取付位置を、リフター機構の一部を構成するシャフトの軸心上としたことを特徴とする。
【０００８】
具体的には、第１の発明では、乗員が着座するシートクッションと、該シートクッションの骨格となるアッパーフレームと、上記シートクッションを裏側から弾性支持するバネ部材と、上記アッパーフレームの下方に対応するように床面に設けられたロアフレームと、上記アッパーフレームをロアフレームに対して上下動させるリフター機構とを備え、上記リフター機構は、上記アッパーフレームの前後において幅方向に延びる前側シャフト及び後側シャフトと、上記アッパーフレーム及びロアフレームの前後に配置され、一端が上記ロアフレームに回動可能に取り付けられるとともに他端が上記アッパーフレームに回動可能に取り付けられ、且つ、上記前側シャフト及び後側シャフトに回転一体に取り付けられた左右一対の前側リンク及び後側リンクとを有し、該前側リンク及び後側リンクの回動動作に伴って上記前側シャフト及び後側シャフトが回転するように構成された車両用シートであって、上記前側シャフト及び後側シャフトの少なくとも一方は、長手方向両端部分に位置し、中心軸がシャフト回転軸心と一致して上記アッパーフレームに回転可能に取り付けられた回転軸部と、これら回転軸部間に位置しシャフト断面積の形状が該回転軸部と同じで且つ中心軸がシャフト回転軸心から径方向外側に偏心したクランク部とからなり、上記クランク部には、上記バネ部材の一端をシャフト回転軸心と一致させるように取り付けられるバネ取付部が設けられている構成とした。
【０００９】
第２の発明では、第１の発明において、上記前側シャフト及び後側シャフトの少なくとも一方は、パイプ形状をなしている構成とした。
【発明の効果】
【００１０】
第１の発明によれば、乗員がシートクッションの高さを変更する際、前側シャフト及び後側シャフトが回転してもバネ部材の一端がシャフト回転軸心上にあるので、シートクッション高さの変更前後でバネ部材の張設状態が変化しない。また、シャフトの一部にシャフト回転軸心から径方向外側に偏心したクランク部を設けているが、シャフト断面積の形状が回転軸部と同じ形状となるようにしているので、後側シャフトに求められる必要な剛性を確保している。さらに、特許文献１のようにシャフトの外周を取り囲む大きなリテーナを設ける必要が無くなるので、車両用シートの重量が軽くなる。
【００１１】
第２の発明によれば、シャフトが中空形状となるので、車両用シートを軽量化することができる。また、加工が容易であり、シャフトの一部を偏心させ易い。
【図面の簡単な説明】
【００１２】
【図１】実施形態に係る車両用シートの斜視図である。
【図２】実施形態に係る車両用シートのフレーム構造を示す斜視図である。
【図３】図２における矢視Ｂ図である。
【図４】実施形態において後側シャフトに対するバネ部材の取り付け状態を示す拡大斜視図である。
【図５】図４におけるＡ−Ａ線断面図である。
【発明を実施するための形態】
【００１３】
以下、本発明の実施形態を図面に基づいて詳細に説明する。尚、以下の好ましい実施形態の説明は、本質的に例示に過ぎない。
【００１４】
図１は、本発明の実施形態に係る車両用シート１を示すものである。上記車両用シート１は、車両内部に配設されて乗員が着座するものであり、フロアパネル（図示せず）に設置されている。上記車両用シート１は、乗員の背もたれとなるシートバック２と、座面を構成するシートクッション３とを備えている。また、車両用シート１は、図２に示すように、シートバック２の骨格となるシートバックフレーム４と、シートクッション３の骨格となるアッパーフレーム５と、該アッパーフレーム５の下方に対応するように床面に設けられたロアフレーム７とで骨格が形成されている。上記アッパーフレーム５には、該シートクッション３を裏側から弾性支持するバネ部材６が張設されている。さらに、車両用シート１は、アッパーフレーム５をロアフレーム７に対して上下動させるリフター機構Ｌｆを備えている。該リフター機構Ｌｆは、上記アッパーフレーム５の前後において幅方向に延びる前側シャフト８ａ及び後側シャフト８ｂと、アッパーフレーム５及びロアフレーム７の間に位置し、一端がロアフレーム７に回動可能に取り付けられるとともに他端がアッパーフレーム５に回動可能に取り付けられ、且つ、前側シャフト８ａ及び後側シャフト８ｂに回転一体に取り付けられた左右一対の前側リンク９ａ及び後側リンク９ｂとを有している。上記リフター機構Ｌｆは、上記アッパーフレーム５と、ロアフレーム７と、前側シャフト８ａ及び後側シャフト８ｂと、前側リンク９ａ及び後側リンク９ｂとで平行リンクを構成しており、上記アッパーフレーム５がロアフレーム７に対し円弧軌跡に沿って移動することでシートクッション３が上下動するようになっている。このとき、前側リンク９ａ及び後側リンク９ｂの回動動作に伴って上記前側シャフト８ａ及び後側シャフト８ｂが回転するように構成されている。
【００１５】
図１に示すように、シートバック２は、略直方体のクッション材であり、シートバックフレーム４（図２に示す）を覆うように設けられている。該シートバック２の上端部には、ヘッドレスト２１が設けられている。
【００１６】
図２に示すように、シートバックフレーム４は、正面視で略矩形に配置されている。該シートバックフレーム４の上下方向略中央及び下端縁寄りには、該シートバックフレーム４の左右のフレーム部分に繋がるとともに幅方向に沿って延びるバネ部材４１、４１が張設されている。上記バネ部材４１、４１は、鋼製のワイヤをＳ字状に蛇行させた部材であり、乗員がシートバック２にもたれ掛かったときに、上記バネ部材４１、４１がシートバック２を弾性支持するようになっている。
【００１７】
図１に示すように、シートクッション３は、乗員が着座する略直方体のクッション材であり、アッパーフレーム５（図２に示す）を覆うように設けられている。
【００１８】
図２に示すように、アッパーフレーム５は、平面視で略コ字状に配置されており、左右一対で車両前後方向に延びる略板状をなすとともに車両左側と車両右側とにそれぞれ位置する左側アッパーフレーム５ａ及び右側アッパーフレーム５ｂと、上記左側アッパーフレーム５ａ及び右側アッパーフレーム５ｂの前方上側を繋ぐように幅方向に延びる略板状の架橋フレーム５ｃとを備えている。該架橋フレーム５ｃは、図３に示すように、上方から見て後側に行くにつれて下傾している。そして、該架橋フレーム５ｃの後端縁寄りには、板面が上方に膨出して左右方向に貫通する前側バネ取付部５ｄが形成されている。該前側バネ取付部５ｄは、該架橋フレーム５ｃの左右方向に４つ等間隔に形成され、各々に後述するバネ部材６の他端が取り付けられるようになっている。
【００１９】
図２に示すように、バネ部材６は、鋼製のワイヤをＳ字状に蛇行させた部材である。該バネ部材６は、前後方向に沿うように配設され、該バネ部材６の一端は、後述する後側シャフト８ｂの後側バネ取付部８３に取り付けられ、他端は、架橋フレーム５ｃの前側バネ取付部５ｄに取り付けられるようになっている。
【００２０】
図２に示すように、ロアフレーム７は、上記アッパーフレーム５と対応するように平面視で略コ字状に配置されており、左右一対で車両前後方向に延びる略角棒状をなすとともに車両左側と車両右側とにそれぞれ位置する左側ロアフレーム７ａ及び右側ロアフレーム７ｂと、該左側ロアフレーム７ａ及び右側ロアフレーム７ｂの前方上側を繋ぐように幅方向に延びる連結棒７ｃとを備えている。上記左側ロアフレーム７ａ及び右側ロアフレーム７ｂは、各々がフロアパネル（図示せず）に固定された前後方向に延びる左右一対のスライドレールＳｌに係合して、該スライドレールＳｌ上を前後方向に移動できるようになっている。これにより、車両用シート１を車体に対して前後方向にスライド移動させることができるようになっている。
【００２１】
図３に示すように、前側シャフト８ａは、アッパーフレーム５の架橋フレーム５ｃの後端周縁の位置において、幅方向に延びるとともに長手方向両端が前側リンク９ａの他端寄りに固定されている。
【００２２】
図２に示すように、後側シャフト８ｂは、アッパーフレーム５の後方において、幅方向に延びるとともに上記アッパーフレーム５の左側アッパーフレーム５ａと右側アッパーフレーム５ｂとに回転可能に取り付けられている。図４及び図５に示すように、後側シャフト８ｂは、該後側シャフト８ｂの長手方向両端部分に位置し、中心軸ａ１がシャフト回転軸心Ｓｐと一致してアッパーフレーム５に回転可能に取り付けられた回転軸部８１と、これら回転軸部８１間に位置しシャフト断面積の形状が回転軸部８１と同じで且つ中心軸ａ２がシャフト回転軸心Ｓｐから径方向外側に偏心するクランク部８２とからなっている。上記クランク部８２の長さは、左側アッパーフレーム５ａ及び右側アッパーフレーム５ｂの間の長さより若干短く形成されている。このように、後側シャフト８ｂの一部にシャフト回転軸心Ｓｐから径方向外側に偏心するクランク部８２を設けているが、クランク部８２の断面積の形状が回転軸部８１と同じ形状となるようにしているので、後側シャフト８ｂに求められる必要な剛性は確保できている。また、後側シャフト８ｂはパイプ形状をなしており、内部が中空なので車両用シート１を軽量にするとともに加工が容易で後側シャフト８ｂの一部を偏心させ易くなっている。
【００２３】
図５に示すように、クランク部８２には、バネ部材６の一端を取り付ける後側バネ取付部８３が、上記クランク部８２の前側面において左右方向に４つ等間隔に形成されており、各々に上記バネ部材６の一端が取り付けられるようになっている。
【００２４】
後側バネ取付部８３は、板状の部材を変形させて形成したものであり、バネ部材６の一端を支持するバネ支持部８３ａと、後側シャフト８ｂの前側面との接合部分となる接合部８３ｂとを備えている。
【００２５】
上記バネ支持部８３ａは、板状の部材の一側を断面Ｃ状に変形させた部位であり、開放部分が車両後側を向くようになっている。該バネ支持部８３ａの内側面は、バネ部材６の一側の外側面に沿うようになっており、該バネ部材６は、バネ支持部８３ａ内を摺動可能となっている。上記接合部８３ｂは、板状の部材の他側を断面略への字状に変形させた部位であり、バネ支持部８３ａの下側部分から後側シャフト８ｂに真っ直ぐ延びるとともに後端から上方に向かって後側シャフト８ｂの外側面に沿って延びている。そして、上記接合部８３ｂの後側シャフト８ｂの外周面に沿う部分が該後側シャフト８ｂに接合されており、この状態において、バネ支持部８３ａに取り付けられているバネ部材６の一端がシャフト回転軸心Ｓｐ上に位置するようになる。したがって、図５の仮想線で示すように、後側シャフト８ｂがアッパーフレーム５に対して回転しても、バネ部材６の一端がシャフト回転軸心Ｓｐ上にあるので、バネ部材６の張設状態が変化しないようになっている。
【００２６】
図２及び図３に示すように、前側リンク９ａは略長方形の板状をなしており、左右一対設けられている。該前側リンク９ａの長手方向一端は、ロアフレーム７における左側ロアフレーム７ａ及び右側ロアフレーム７ｂの前縁寄りに回動可能に取り付けられている。また、前側リンク９ａの長手方向他端は、長手方向一端より後方に位置しており、アッパーフレーム５に回動可能に取り付けられている。
【００２７】
図２に示すように、後側リンク９ｂは略長方形の板状をなしており、左右一対設けられている。該後側リンク９ｂの長手方向一端は、ロアフレーム７における左側ロアフレーム７ａ及び右側ロアフレーム７ｂの後縁寄りに回動可能に取り付けられている。また、後側リンク９ｂの長手方向他端は、長手方向一端より後方に位置しており、上記後側シャフト８ｂの右端縁及び左端縁に回転一体に取り付けられている。
【００２８】
右側ロアフレーム７ｂの後方には、図示しないがシートクッション３の高さを調節可能とするリフター機構Ｌｆを操作するための従来周知のリフター操作部（図示せず）が備えられている。そして、乗員がリフター操作部を操作すると、上記前側リンク９ａ及び後側リンク９ｂがロアフレーム７に対して回動する。この回動動作に伴って、図３の矢印Ｘに示すように、前側シャフト８ａがシャフト回転軸心を中心として回転するとともに、図４の矢印Ｘに示すように、後側シャフト８ｂがシャフト回転軸心Ｓｐを中心として回転するようになっている。そして、アッパーフレーム５がロアフレーム７に対し円弧軌跡に沿って移動することでシートクッション３が上下動するようになっている。
【００２９】
次に、上記のように構成された車両用シート１について乗員がシートクッション３の高さを調整する場合について説明する。まず、シートクッション３の位置を高くする場合、乗員がリフター操作部（図示せず）の操作を実施すると、車両用シート１の左側から見た側面視において、前側リンク９ａ及び後側リンク９ｂがロアフレーム７に対して反時計回りに回動する。該前側リンク９ａ及び後側リンク９ｂの回動動作に伴って、前側シャフト８ａ及び後側シャフト８ｂが各々のシャフト回転軸心を中心として回転する。そして、アッパーフレーム５がロアフレーム７に対し円弧軌跡に沿って移動し、これにより、シートクッション３が上方に移動する。このとき、図５に示すように、バネ部材６の一端がシャフト回転軸心Ｓｐ上にあるので、上記操作において後側シャフト８ｂが回転しても、バネ部材６の張設状態が変化しない。したがって、シートクッション３の高さを変更しても乗員の座り心地は変化しない。
【００３０】
一方、シートクッション３の位置を低くする場合、リフター操作部（図示せず）を操作すると、車両用シート１の左側から見た側面視において、前側リンク９ａ及び後側リンク９ｂがロアフレーム７に対して時計回りに回動する。これに伴って、前側シャフト８ａ及び後側シャフト８ｂが各々のシャフト回転軸心Ｓｐを中心として回転する。そして、アッパーフレーム５がロアフレーム７に対し円弧軌跡に沿って移動し、シートクッション３が下方に移動する。
【００３１】
以上より、この実施形態によれば、乗員がシートクッション３の高さを変更する際、後側シャフト８ｂが回転してもバネ部材６の一端がシャフト回転軸心Ｓｐ上にあるので、シートクッション３の高さの変更前後でバネ部材６の張設状態が変化しない。また、後側シャフト８ｂの一部にシャフト回転軸心Ｓｐから径方向外側に偏心するクランク部８２を設けているが、シャフト断面積の形状が回転軸部８１と同じ形状となるようにしているので、後側シャフト８ｂに求められる必要な剛性を確保している。さらに、特許文献１のように後側シャフト８ｂの外周を取り囲む大きなリテーナを設ける必要がなくなるので、車両用シート１の重量が軽くなる。
【００３２】
また、後側シャフト８ｂが中空形状となるので、車両用シート１を軽量化することができる。さらに、後側シャフト８ｂを加工し易くなり、後側シャフト８ｂの一部を偏心させ易い。
【００３３】
尚、本実施形態では、後側シャフト８ｂにバネ部材６の一端を取り付けたが、前側シャフト８ａのシャフト回転軸心上にバネ部材６の他端を取り付けるようにしてもよい。
【産業上の利用可能性】
【００３４】
本発明は、乗員が着座するシートクッションを上下動させることができるリフター機構付き車両用シートに適している。
【符号の説明】
【００３５】
１        車両用シート
３        シートクッション
５        アッパーフレーム
６        バネ部材
７        ロアフレーム
８ａ        前側シャフト
８ｂ        後側シャフト
９ａ        前側リンク
９ｂ        後側リンク
８１        回転軸部
８２        クランク部
８３        後側バネ取付部
ａ１        中心軸
ａ２        中心軸
Ｓｐ        シャフト回転軸心
Ｌｆ        リフター機構
【図１】
2011063142.tif 000003
【図２】
2011063142.tif 000004
【図３】
2011063142.tif 000005
【図４】
2011063142.tif 000006
【図５】
2011063142.tif 000007